(57)【特許請求の範囲】
【請求項１】
液状の容器内容物の放出口に外付けされて内容物放出用の出力通路域として作用する筒状部に、外気取入れ用の内外連通部、および泡生成作用部を備えた形の容器内容物の泡生成用アタッチメントにおいて、
前記筒状部は、
前記放出口の外側に取り付けられる上流側筒状部と、
当該上流側筒状部に、少なくとも前後軸方向への移動が可能であって当該移動後のそれぞれの位置に保持される態様で、取り付けられた下流側筒状部とからなり、
前記上流側筒状部は、
前記内外連通部および、前記泡生成作用部の構成要素としての上流側メッシュ部を備え、
前記下流側筒状部は、
前記泡生成作用部の構成要素としての下流側メッシュ部を備え、
前記上流側メッシュ部と前記下流側メッシュ部との間隔が、
前記下流側筒状部の前記上流側筒状部に対する前記前後軸方向への後退操作によって短く設定され、かつ、当該下流側筒状部の当該上流側筒状部に対する当該前後軸方向への前進操作によって長く設定される、
ことを特徴とする容器内容物の泡生成用アタッチメント。
【請求項２】
前記上流側筒状部は、
前記下流側筒状部の前記前後軸方向への移動を案内して当該移動後の位置を保持するガイド作用部を備え、
前記下流側筒状部は、
前記ガイド作用部に案内され、かつ、前記移動後の位置に保持される被ガイド部を備えている、
ことを特徴とする請求項１記載の容器内容物の泡生成用アタッチメント。
【請求項３】
前記ガイド作用部は、
前記上流側筒状部の外周面に形成された溝状部であり、
前記被ガイド部は、
前記下流側筒状部の内周面に形成された突状部である、
ことを特徴とする請求項２記載の容器内容物の泡生成用アタッチメント。
【請求項４】
請求項１乃至請求項３のいずれかに記載の容器内容物の泡生成用アタッチメントを備え、かつ、液状内容物を収容した、
ことを特徴とするポンプ式製品。
【請求項５】
請求項１乃至請求項３のいずれかに記載の容器内容物の泡生成用アタッチメントを備え、かつ、噴射用ガスおよび液状内容物を収容した、
ことを特徴とするエアゾール式製品。
【発明の詳細な説明】
【技術分野】
【０００１】
本発明は、各種の液状内容物を収容した通常のポンプ容器やエアゾール容器などの放出口に外付けされて使用される泡生成用アタッチメントである。
【０００２】
すなわち、容器放出口への外付けタイプの筒状からなる泡生成用アタッチメントであって、その内部に上流側メッシュ部と下流側メッシュ部とを設けてこれらメッシュ部間の距離を変更できるようにしている。
【０００３】
このメッシュ部間距離の変更により、外部空間域へ放出される内容物の泡状態を、例えばジェット吐出対応の状態（図１参照）とソフト吐出対応の状態（図２，図３参照）とに切り換えることができる
【０００４】
例えば、部分洗浄にはソフトな泡とし、広範囲洗浄には勢いのある泡といったように、用途に合わせた形の内容物放出状態に切り換えることができる。
【０００５】
適用対象の液状内容物としては、例えばキッチン用洗剤，ガラスクリーナ，メガネクリーナ，洗顔料，オーラルケア，石けん，消毒剤，化粧品，乳液、シェービングフォーム，ヘアスタイリングフォーム，洗剤，染毛剤，シャンプー，リンス，殺虫剤など、後述のように各種のものがある。
【０００６】
なお、本明細書においては、液状内容物が収容された容器本体のみならず当該容器本体からノズルまでの全体構成も含む意で「容器」の語を用い、また、泡生成用アタッチメントの放出口側（図１などの左側）を「前」と記し、これとは反対のトリガレバー回動中心軸側（図１などの右側）を「後」と記す。
【背景技術】
【０００７】
ポンプ容器などに収容された液状内容物の泡生成機能を持つ放出機構は例えば下記の特許文献１で開示されている。
【０００８】
特許文献１の放出機構は、容器内容物（点鼻薬）の噴出ノズルの先端（放出口）に凹部を設けて、この凹部に、泡生成のための筒状のノズルチップがメッシュ部部材とともに取り付けられたものである。
【０００９】
そして、ノズルチップを噴出ノズルの先端凹部に取り付けた状態では、
(11)ノズルチップの内容物流入口にメッシュ部部材が配置され、
(12)メッシュ部部材の上流側通路域への外気流通路が、ノズルチップの外周面と噴出ノズルの先端凹部内周面との間に設定される。
【特許文献１】特開２００８−１３２４０６号公報
【発明の開示】
【発明が解決しようとする課題】
【００１０】
このように、従来の泡生成機能を備えた液状内容物放出機構は、ノズル自体の先端放出口に凹部を形成した上で、そこに泡生成用のメッシュ部部材とその下流側部材に相当する筒状のノズルチップとをいわば組み込んでいる。
【００１１】
すなわち、液状内容物の出力側放出通路としてのノズル先端側部分の一部を構成する内部空間域に、泡生成用の筒状のノズルチップを設けたものである。
【００１２】
そのため、ノズルチップの長手方向や径方向の大きさは当然のことながらノズルの上記内部空間域のサイズ範囲に制約されてしまい、液状内容物の十分な泡生成作用を呈する大きさのノズルチップを用いることがむずかしかった。
【００１３】
また、ノズル先端側部分の狭い内部空間域に小さなサイズのノズルチップやメッシュ部部材などを組み込まなければならず、ノズルの組立作業全体の効率改善を図ることがむずかしかった。
【００１４】
このような不都合を解決すべく本件出願人は、液状内容物の放出口にいわば外付けする形の筒状部からなり、泡生成用部材の作成に際してのサイズ上の制約をなくすとともに、泡生成用部材のノズル側への取付け作業の簡便化を図ることができる泡生成用アタッチメントを提案済みである（特願２００８−３１９８２３）。
【００１５】
この提案済みの特願２００８−３１９８２３においては、
(21)液状内容物の放出口にいわば外付けする形の筒状部からなる泡生成用アタッチメントを提供して、泡生成用部材の作成に際してのサイズ上の制約をなくすとともに、泡生成用部材のノズル側への取付け作業の簡便化を図り、
(22)ポンプ容器やエアゾール容器の泡生成機能を備えていない各種液状内容物放出機構における泡状放出化を図っている。
【００１６】
本発明は、筒状の泡生成用アタッチメントの内部に設けた上流側メッシュ部と下流側メッシュ部との間の距離を変更して、外部空間域への放出内容物の泡状態を切り換えることができるようにしたものである。
【００１７】
これにより、上記特許文献１における不都合を改善するとともに、上記提案にかかる泡生成用アタッチメントについてのさらなる利便化を図ることを課題とする。
【課題を解決するための手段】
【００１８】
本発明はこの課題を次のようにして解決する。
（１）液状の容器内容物の放出口に外付けされて内容物放出用の出力通路域として作用する筒状部（例えば後述の後側円筒状部６および前側円筒状部７）に、外気取入れ用の内外連通部（例えば後述の溝凹状部６ｃ）、および泡生成作用部（例えば後述の上流側メッシュ部６ａおよび下流側メッシュ部７ａ）を備えた形の容器内容物の泡生成用アタッチメント（例えば後述の泡生成用アタッチメント５）において、
前記筒状部は、
前記放出口の外側に取り付けられる上流側筒状部（例えば後述の後側円筒状部６）と、
当該上流側筒状部に、少なくとも前後軸方向への移動が可能であって当該移動後のそれぞれの位置に保持される態様で、取り付けられた下流側筒状部（例えば後述の前側円筒状部７）とからなり、
前記上流側筒状部は、
前記内外連通部および、前記泡生成作用部の構成要素としての上流側メッシュ部（例えば後述の上流側メッシュ部６ａ）を備え、
前記下流側筒状部は、
前記泡生成作用部の構成要素としての下流側メッシュ部（例えば後述の下流側メッシュ部７ａ）を備え、
前記上流側メッシュ部と前記下流側メッシュ部との間隔が、
前記下流側筒状部の前記上流側筒状部に対する前記前後軸方向への後退操作によって短く設定され、かつ、当該下流側筒状部の当該上流側筒状部に対する当該前後軸方向への前進操作によって長く設定される、
構成態様のものを用いる。
（２）上記（１）において、
前記上流側筒状部は、
前記下流側筒状部の前記前後軸方向への移動を案内して当該移動後の位置を保持するガイド作用部（例えば後述の斜め溝状部６ｄ，前凹状保持部６ｅ，後凹状保持部６ｆ）を備え、
前記下流側筒状部は、
前記ガイド作用部に案内され、かつ、前記移動後の位置に保持される被ガイド部（例えば後述の突状部７ｄ）を備えている、
構成態様のものを用いる。
（３）上記（２）において、
前記ガイド作用部は、
前記上流側筒状部の外周面に形成された溝状部（例えば後述の斜め溝状部６ｄ，前凹状保持部６ｅ，後凹状保持部６ｆ）であり、
前記被ガイド部は、
前記下流側筒状部の内周面に形成された突状部（例えば後述の突状部７ｄ）である、
構成態様のものを用いる。
【００１９】
本発明は、以上の構成からなる容器内容物の泡生成用アタッチメントならびに当該泡生成用アタッチメントを備えたポンプ式製品およびエアゾール式製品を対象としている。
【発明の効果】
【００２０】
本発明はこのように、液状内容物の放出口にいわば外付けする形の筒状部からなる泡生成用アタッチメントを用いているので、泡生成用部材の作成に際してのサイズ上の制約をなくすとともに、泡生成用部材の取付け作業自体の一層の簡便化を図ることができる。
【００２１】
また、ポンプ容器やエアゾール容器の泡生成機能を備えていない各種液状内容物放出機構における泡状放出化を図ることができる。
【００２２】
また、泡生成用アタッチメントに設けた上流側メッシュ部と下流側メッシュ部との間隔を変更できるようにしているので、液状内容物放出機構のノズルに泡生成用アタッチメントを取付けたまま、放出内容物の泡状態を切り換えることができる。そして、上流側メッシュ部と下流側メッシュ部との間隔の変更，保持の態様に応じて、この泡状態を任意の（３以上の）複数段階に設定することもできる。
【図面の簡単な説明】
【００２３】
【図１】上流側メッシュ部と下流側メッシュ部とを有する泡生成用アタッチメントがジェット吐出対応状態に設定されたときの液状内容物放出機構（静止モード）を示す説明図である。
【図２】図１の泡生成用アタッチメントをジェット吐出対応状態からソフト吐出対応状態へと切り換えた液状内容物放出機構（静止モード）を示す説明図である。
【図３】図２の液状内容物放出機構の作動モードを示す説明図である。
【図４】図１〜図３で用いられる泡生成用アタッチメントであって、(a)は前側円筒状部７を示し，(b)は後側円筒状部６を示している。
【図５】図１〜図３で用いられる泡生成用アタッチメントであって、(a)は図１のジェット吐出対応状態の泡生成用アタッチメントを示し、(b)は図２，図３のソフト吐出対応状態の泡生成用アタッチメントを示す説明図である。
【図６】図１〜図５の上流側メッシュ部６ａおよび下流側メッシュ部７ａを含む各種タイプの泡生成用メッシュ部を示す説明図である。
【図７】図１のジェット吐出対応の泡生成用アタッチメントを使用したときの液状内容物の放出状態を示す説明図である。
【図８】図７の放出動作により得られる泡状内容物を示す説明図である。
【図９】図２，図３のソフト吐出対応の泡生成用アタッチメントを使用したときの液状内容物の放出状態を示す説明図である。
【図１０】図９の放出動作により得られる泡状内容物を示す説明図である。
【発明を実施するための最良の形態】
【００２４】
図１〜図１０を用いて本発明を実施するための最良の形態を説明する。
【００２５】
上述のように本発明の泡生成用アタッチメントはポンプ容器およびエアゾール容器のいずれにも適用できるものであるが、図面およびそれに基づく以下の記載では単なる説明の便宜上、ポンプ容器の場合を対象としている。
【００２６】
図１〜図６で用いるアルファベット付き参照番号の構成要素（例えば開口部１ａ）は原則として、当該参照番号の数字部分の構成要素（例えばトリガレバー１）の一部であることを示している。なお、参照番号２１〜２３は図６のみで用いている。
【００２７】
図１〜図６において、
１は放出モード設定操作用の回動タイプのトリガレバー，
１ａは当該トリガレバーの前側面上部分およびこれに続く天面前部分に形成されて後述のノズル３（ピストン２）の上下動を可能にするための開口部，
１ｂは当該トリガレバーの両側面にそれぞれ形成されて後述の軸部分１０ｂとの係合作用によりトリガレバーの回動中心となる一対の孔部，
２はトリガレバー１の回動操作にともなって下動して放出モード位置に移動するＬ字状で筒状のピストン，
２ａは内側の内容物通路，
２ｂはピストン外周面に形成されて、トリガレバー１の回動を当該ピストンの下方向への移動に変換するための周知の円柱状部（カムフォロワ部），
２ｃはピストン外周面に形成されて、後述の誤動作防止部材１０の縦方向溝状部１１ｂとの協働により誤操作防止（放出モード設定阻止）部材として作用する縦方向リブ状部，
３はピストン２の先端側に嵌合状態で取り付けられたノズル，
３ａは当該ノズルの内容物流入側に形成される内容物通過用の第１の空間域，
４は底面部分に周知の噴霧用螺旋溝状部を有して、ノズル３の先端凹状部に嵌合状態で取り付けられたノズルチップ，
４ａは内容物流出用の孔部，
４ｂは当該ノズルチップの内周面に形成された内容物通過用の溝状部，
４ｃは当該ノズルチップの底面側に形成される内容物通過用の第２の空間域，
メント，
５はノズル３に外付けされる泡生成用アタッチメント，
６は泡生成用アタッチメント５の構成要素であって、ノズルチップ４の前端側外周面に嵌合している後側円筒状部，
６ａは後側円筒状部６の前側内周面に前後軸方向と直交する平面態様で形成された泡生成用の上流側メッシュ部［図６(a)参照］，
６ｂは上流側メッシュ部６ａの構成要素である単一方形状の孔部，
６ｃは後側円筒状部６の後端側内周面の前後方向に形成された外気取入れ用の計六個の溝凹状部，
６ｄは後側円筒状部６の前側外周面に形成されて、後述の前側円筒状部７の回動しながらの前後方向への移動を案内する計四個の斜め溝状部（螺旋状部の一部），
６ｅは斜め溝状部６ｄの各前側端部から第１の周回方向（＝後側円筒状部６の中心軸と直交する面に含まれて、図示の後側円筒状部６を前側からみたときの反時計方向）に連続する態様で形成されて、後述の前側円筒状部７を、後側円筒状部６から最も離れたソフト泡放出状態の位置に係止するための前凹状保持部，
６ｆは斜め溝状部６ｄの各後側端部から第２の周回方向（＝第１の周回方向とは逆の周回方向）に連続する態様で形成されて、後述の前側円筒状部７を、後側円筒状部６に最も近いジエット泡放出状態の位置に係止するための後凹状保持部，
７は泡生成用アタッチメント５の構成要素であって、回動・前後動可能な態様で後側円筒状部６に取り付けられたている前側円筒状部，
７ａは前側円筒状部７の前端に、外側に凸となる曲面態様で形成された泡生成用の下流側メッシュ部［図６(b)参照］，
７ｂは下流側メッシュ部の構成要素である単一円形状の大孔部，
７ｃは下流側メッシュ部の構成要素である単一円形状の小孔部，
７ｄは前側円筒状部７の内周面の後端部分に形成されて、それぞれ、後側円筒状部６の斜め溝状部６ｄに案内され、かつ、後凹状保持部６ｆまたは前凹状保持部６ｅに係止される計四個の突状部，
８は液状内容物を収容した容器本体，
９は容器本体８の開口部に螺合しているネジキャップ，
１０はハウジング（図示省略）と一体化してピストン２や内部に配設された周知のポンプ機構を保護する機能を有し、ネジキャップ９に上下動せずに回動可能な態様で取り付けられた筒状のカバー体，
１０ａは当該カバー体の上側小径部分から延びた形のアーム状部，
１０ｂは当該アーム状部の上端側外面に形成されてトリガレバー１の孔部１ｂに入り込んだ状態で使用され、当該トリガレバーの回動操作の中心軸として作用する一対の軸部分，
１０ｃは当該カバー体の下側大径部分の外周面に付されて後述の誤動作防止部材１１の放出モード設定可能位置の目安を示すマーク，
１１はカバー体１０の上側小径部分に上下動せずに回動可能な形で取り付けられて、その回動位置に応じてピストン２の下動を阻止する、すなわち放出モード設定操作をできなくする誤動作防止部材，
１１ａは当該誤動作防止部材の回動操作用のつまみ，
１１ｂはピストン２の縦方向リブ状部２ｃの進入を許容する縦方向溝状部，
２１は蜂の巣状メッシュ部，
２２は円状メッシュ部，
２３はターゲット状メッシュ部，
をそれぞれ示している。
【００２８】
また、図１，図２および図５において、
Ｌ１は孔部４ａから上流側メッシュ部６ａの後面までの前後軸方向の距離，
Ｌ２は溝凹状部６ｃの（後側円筒状部６の内部空間域への）外気供給用開口部分の前後軸方向の長さ，
Ｌ３は当該外気流出用開口部分の（Ｌ２の方向とは直交する）周方向の直線長，
Ｌ４はジェット吐出対応状態における上流側メッシュ部６ａの後面から下流側メッシュ部７ａの中央部内面までの前後軸方向の距離，
Ｌ５は上流側メッシュ部６ａの後面から後側円筒状部６の前端部分までの前後軸方向の距離，
Ｌ６は後側円筒状部６の前凹状保持部６ｅから後凹状保持部６ｆまでの前後軸方向の長さ（＝前側円筒状部７の前後軸方向における移動ストローク：ジェット吐出対応状態およびソフト吐出対応状態それぞれにおける上流側メッシュ部６ａの後面から下流側メッシュ部７ａまでの前後軸方向の距離の差分）
Ｌ７はソフト吐出対応状態における上流側メッシュ部６ａから下流側メッシュ部７ａの中央部内面までの前後軸方向の距離（≒Ｌ４＋Ｌ６）
Ｌ８はジェット吐出対応状態における泡生成用アタッチメント５（後側円筒状部６＋前側円筒状部７）の前後軸方向の全長，
Ｌ９は後側円筒状部６の前後軸方向の全長，
Ｌ10は前側円筒状部７の前後軸方向の全長，
Ｄ１は後側円筒状部６における上流側メッシュ部６ａより後方の内部空間域の内径，
Ｄ２は後側円筒状部６における上流側メッシュ部６ａより前方の内部空間域の内径，
Ｄ３は前側円筒状部７の内部空間域の（最大）内径，
Ｄ４は前側円筒状部７の外径，
をそれぞれ示している。
【００２９】
ここで、トリガレバー１，ピストン２，ノズル３，ノズルチップ４，泡生成用アタッチメント５（後側円筒状部６＋前側円筒状部７），容器本体８，ネジキャップ９，カバー体１０，誤動作防止部材１１，蜂の巣状メッシュ部２１，円状メッシュ部２２およびターゲット状メッシュ部２３はそれぞれ、ポリプロピレン，ポリエチレン，ポリアセタール，ナイロン，ポリブチレンテレフタレートなどからなるプラスチック製のものである。
【００３０】
図示した内容物放出機構の中で本発明に特有な構成要素は泡生成用アタッチメント５のみであり、このアタッチメントが取り付けられていない状態の内容物放出機構（ポンプ容器など）自体は汎用的なものである。
【００３１】
そして泡生成用アタッチメント５の基本的特徴は、
(31)上流側メッシュ部６ａを備えた後側円筒状部６と、これに対して少なくとも前後軸方向に移動可能で下流側メッシュ部７ａを備えた前側円筒状部７と、からなり、
(32)後側円筒状部６がノズル３に嵌合状態で外付けされ、
(33)前側円筒状部７の後退操作により上流側メッシュ部６ａと下流側メッシュ部７ａとの間隔を短く（Ｌ４）設定したジェット吐出対応状態（図１，図７，図８参照）と、前側円筒状部７の前進操作により上流側メッシュ部６ａと下流側メッシュ部７ａとの間隔を長く（Ｌ７）設定したソフト吐出対応状態（図２，図３，図９，図１０参照）と、に選択できる、
ことなどである。
【００３２】
図１の泡生成用アタッチメント５の前側円筒状部７は、その突状部７ｄがそれぞれ後側円筒状部６の後凹状保持部６ｆに係止されている。
【００３３】
すなわち、前側円筒状部７の下流側メッシュ部７ａが後側円筒状部６の上流側メッシュ部６ａに近いジェット吐出対応状態に設定されている。
【００３４】
泡生成用アタッチメント５をこのジェット吐出泡状態から図２のソフト吐出対応状態に切り換えるには、前側円筒状部７を、後側円筒状部６に対して、前方からみたときの反時計方向へ回動操作すればよい。
【００３５】
この回動操作にともない、前側円筒状部７は、その突状部７ｄがそれぞれ後側円筒状部６の斜め溝状部６ｄに案内されて回動しながら後退する。
【００３６】
そして、最終的には各突状部７ｄが後側円筒状部６の前凹状保持部６ｅに係止され、図２のソフト吐出対応状態に設定される。
【００３７】
以上とは逆に図２のソフト吐出対応状態から図１のジェット吐出対応状態に切り換えるには、前側円筒状部７を、後側円筒状部６に対して、前方からみたときの時計方向へ回動操作すればよい。
【００３８】
図１，図２の静止モードのトリガレバー１を引いて図示反時計方向に回動させる途中の放出モード（図３参照）では、ネジキャップ９やカバー体１０などの内部に設けられた周知のポンプ機構（図示省略）が動作して、その吸込弁が閉じて吐出弁が開く。
【００３９】
このポンプ作用により、吸込弁と吐出弁との間の貯留空間域に収容されていた液状内容物が「内容物通路２ａ−第１の空間域３ａ−溝状部４ｂ−第２の空間域４ｃ−孔部４ａ」を経て泡生成用アタッチメント５の内部空間域に例えば霧状態で流入する。
【００４０】
泡生成用アタッチメント５に流入した液状内容物は、後方の上流側メッシュ部６ａを通り、さらには前方の下流側メッシュ部７ａを通ってから外部空間に放出される。
【００４１】
この外部空間への放出に際して、液状内容物は、泡生成用アタッチメント５の上流側メッシュ部６ａ，下流側メッシュ部７ａや、後側円筒状部６，前側円筒状部７の内周面部分にぶつかることにより攪拌されていわば細かくなった状態で、その中に空気を含んだ形の泡状内容物に変化する。
【００４２】
この泡状内容物の生成に用いられた空気分に応じる形で、あるいは泡生成用アタッチメント５に流入した液状内容物の流れに応じる形で、外気が、後側円筒状部６の溝凹状部６ｃから吸入されてアタッチメント内部に取り込まれる。
【００４３】
泡生成用アタッチメント５（後側円筒状部６，前側円筒状部７）のメッシュ部としては図６の各種メッシュ部を用いることができる。
【００４４】
図示の泡生成用アタッチメント５の場合、上流側メッシュ部６ａとして図６(a)のメッシュ部を用い、下流側メッシュ部７ａとして図６(b)のメッシュ部を用いている。
【００４５】
図７〜図１０の内容物放出状態の各検証でも、この図６(a)の上流側メッシュ部６ａおよび図６(b)の下流側メッシュ部７ａを用いている。
【００４６】
この各検証で用いた孔部４ａ，泡生成用アタッチメント５（後側円筒状部６，前側円筒状部７），上流側メッシュ部６ａ，下流側メッシュ部７ａなどの仕様は以下のとおりである。
(41)ノズルチップ４の孔部４ａの径：0.45mm
(42)孔部４ａから上流側メッシュ部６ａの後面までの距離Ｌ１：4.5mm
(43)溝凹状部６ｃの（後側円筒状部６の内部空間域への）外気供給用開口部分の前後軸方向の長さＬ２：1.0mm，当該開口部分の周方向の直線長Ｌ３：1.5mm
(44)ジェット吐出対応状態における上流側メッシュ部６ａの後面から下流側メッシュ部７ａの中央部内面までの距離Ｌ４：3.8mm
(45)上流側メッシュ部６ａの後面から後側円筒状部６の前端部分までの距離Ｌ５：2.2mm
(46)後側円筒状部６の前凹状保持部６ｅから後凹状保持部６ｆまでの長さＬ６：3.3mm
(47)ソフト吐出対応状態における上流側メッシュ部６ａの後面から下流側メッシュ部７ａの中央部内面までの距離Ｌ７：7.1mm
(48)ジェット吐出対応状態における泡生成用アタッチメント５（後側円筒状部６＋前側円筒状部７）の前後軸方向の全長Ｌ８：14.3mm
(49)後側円筒状部６の前後軸方向の全長Ｌ９：11.7mm
(50)前側円筒状部７の前後軸方向の全長Ｌ10：7.5mm
(51)後側円筒状部６における上流側メッシュ部６ａより後方の内部空間域の内径Ｄ１：7.0mm，
(51)後側円筒状部６における上流側メッシュ部６ａより前方の内部空間域の内径Ｄ２：7.6mm
(53)前側円筒状部７の内部空間域の（最大）内径Ｄ３：9.1mm
(54)前側円筒状部７の外径Ｄ４：10.2mm
(55)上流側メッシュ部６ａの各格子（孔部６ｂ）の大きさ：1.2mm×1.2mm，格子境界部分の幅：0.5mm，当該メッシュ部の厚み：0.5mm
(56)下流側メッシュ部７ａの大孔部７ｂの径：1.5mm，小孔部７ｃの径：0.9mm，当該メッシュ部の厚み：1.0mm，当該メッシュ部の外径（＝泡生成用アタッチメント５の外径）：10.2mm
【００４７】
以上の仕様からなる泡生成用アタッチメント５をポンプ式製品に取り付けた上で（図１〜図３参照）、当該アタッチメントからの内容物放出状態を検証した。
【００４８】
なお、液状内容物には洗顔料（花王株式会社製ビオレマシュマロホイップ）を用いている。また、上流側メッシュ部６ａとしては直径0.45mmの樹脂線を編んだものを用いた。
【００４９】
図７および図８は、泡生成用アタッチメント５の下流側メッシュ部７ａを上流側メッシュ部６ａに「3.3mm」まで近づけた図１のジェット吐出対応状態での、内容物放出状態を写真撮影したものである。
【００５０】
図９および図１０は、泡生成用アタッチメント５の下流側メッシュ部７ａを上流側メッシュ部６ａから「6.5mm」の位置まで離した図２，図３のソフト吐出対応状態での、内容物放出状態を写真撮影したものである。
【００５１】
これらの検証結果からも明らかなように、泡生成用アタッチメント５のジェット吐出対応状態およびソフト吐出対応状態のいずれの場合にも、きめ細かくて連続したまとまり感のある泡状内容物を吐出することができた。
【００５２】
なお、メッシュ部なしのアタッチメントを用いた場合の内容物放出状態は、本件出願人の上記先願（特願２００８−３１９８２３）の図１３，図１４のそれと同様である。
【００５３】
本発明の泡生成用アタッチメントの基本的特徴は、ポンプ式製品やエアゾール式製品の放出口に外付けされる上流側筒状部と、前後動可能な形でこれに取り付けられた下流側筒状部とからなる筒状部材であって、当該上流側筒状部および当該下流側筒状部のそれぞれに泡生成用のメッシュ部を形成したことである。
【００５４】
上述の仕様で示した後側円筒状部６，前側円筒状部７，上流側メッシュ部６ａおよび下流側メッシュ部７ａに関する各数値は、このような基本的特徴を有する泡生成用アタッチメントを実現する上での例示データである。
【００５５】
本発明が以上の実施形態に限定されないことは勿論であり、例えば前側円筒状部７を後側円筒状部６に対して、回動せずに、前後方向のみにスライドする形で設けてもよい。
【００５６】
また、後側円筒状部６および前側円筒状部７に代えて、その軸方向と直交する横断面形状が円以外の楕円，多角形などの任意の形状からなる筒状部を用いてもよい。
【００５７】
また、泡生成用アタッチメント５（後側円筒状部６）の外気取入れ用の溝凹状部６ｃの形成個数は任意である。
【００５８】
また、以上の泡生成用アタッチメントは、押下げ式，スパウト式などの各種操作釦を用いるタイプや、液状内容物を直噴するタイプのポンプ式製品やエアゾール式製品にも適用しえる。
【００５９】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６０】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６１】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６２】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６３】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６４】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６５】
高分子化合物としては、メチルセルロース，ゼラチン，デンプン，カゼイン，ヒドロキシエチルセルロース，キサンタンガム，カルボキシビニルポリマーなどを用いる。
【００６６】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６７】
さらに、上記内容物以外の、懸濁剤，紫外線吸収剤，乳化剤，保湿剤，酸化防止剤、金属イオン封鎖剤なども用いることができる。
【００６８】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６９】
（１〜１１ｂは図１〜図６で使用）
１：トリガレバー
１ａ：開口部
１ｂ：一対の孔部
２：筒状のピストン
２ａ：内容物通路
２ｂ：円柱状部（カムフォロワ部）
２ｃ：縦方向リブ状部
３：ノズル
３ａ：第１の空間域
４：ノズルチップ
４ａ：内容物流出用の孔部
４ｂ：内容物通過用の溝状部
４ｃ：第２の空間域
５：泡生成用アタッチメント
６：後側円筒状部
６ａ：上流側メッシュ部［図６(a)参照］
６ｂ：単一方形状の孔部
６ｃ：溝凹状部
６ｄ：斜め溝状部（螺旋状部の一部）
６ｅ：前凹状保持部
６ｆ：後凹状保持部
７：前側円筒状部
７ａ：下流側メッシュ部［図６(b)参照］
７ｂ：単一円形状の大孔部
７ｃ：単一円形状の小孔部
７ｄ：突状部
８：容器本体
９：ネジキャップ
１０：筒状のカバー体
１０ａ：アーム状部
１０ｂ：一対の軸部分
１０ｃ：マーク
１１：誤動作防止部材
１１ａ：回動操作用のつまみ
１１ｂ：縦方向溝状部
【００７０】
（２１〜２３は図６のみで使用）
２１：蜂の巣状メッシュ部
２２：円状メッシュ部
２３：ターゲット状メッシュ部
【００７１】
（Ｌ１〜Ｄ３は図１，図２および図５のみで使用）
Ｌ１：孔部４ａから上流側メッシュ部６ａの後面までの前後軸方向の距離
Ｌ２：溝凹状部６ｃの外気流出用開口部分の前後軸方向の長さ
Ｌ３：溝凹状部６ｃの外気流出用開口部分の周方向の直線長
Ｌ４：ジェット吐出対応状態における上流側メッシュ部６ａの後面から下流側メッシュ部７ａの中央部内面までの前後軸方向の距離
Ｌ５：上流側メッシュ部６ａの後面から後側円筒状部６の前端部分までの前後軸方向の距離
Ｌ６：後側円筒状部６の前凹状保持部６ｅから後凹状保持部６ｆまでの前後軸方向の長さ（前側円筒状部の前後軸方向における移動ストローク）
Ｌ７：ソフト吐出対応状態における上流側メッシュ部６ａの後面から下流側メッシュ部７ａの中央部内面までの前後軸方向の距離（≒Ｌ４＋Ｌ６）
Ｌ８：ジェット吐出対応状態における泡生成用アタッチメント５の前後軸方向の全長，
Ｌ９：後側円筒状部６の前後軸方向の全長
Ｌ10：前側円筒状部７の前後軸方向の全長
Ｄ１：後側円筒状部６における上流側メッシュ部６ａより後方の内部空間域の内径
Ｄ２：後側円筒状部６における上流側メッシュ部６ａより前方の内部空間域の内径
Ｄ３：前側円筒状部７の内部空間域の（最大）内径
Ｄ４：前側円筒状部７の外径
【図１】
0005455202.tif 000002
【図２】
0005455202.tif 000003
【図３】
0005455202.tif 000004
【図４】
0005455202.tif 000005
【図５】
0005455202.tif 000006
【図６】
0005455202.tif 000007
【図７】
0005455202.tif 000008
【図８】
0005455202.tif 000009
【図９】
0005455202.tif 000010
【図１０】
0005455202.tif 000011